(57)【要約】【課題】確実に目当ての小型の鳥だけが食餌することが可能な給餌装置を提供する。【解決手段】鳥用の餌を収容する餌箱５と、該餌箱に対応して設けた食餌用止り木６とを組み合わせる。止り木６は止り木６に掴まる鳥の体重の付加荷重に応じて止り木６の上下位置が変動するように支持する。餌箱５は止り木６の上方に給餌口５ａが下向きに開口するように支持する。或いは、餌箱の給餌口に開閉可能なシャッターを設けるとともに、この止り木の上下位置に応じてシャッターを開閉させる。【選択図】図１
2005040082.tif 000002
【特許請求の範囲】
【請求項１】
鳥用の餌を収容する餌箱と、該餌箱に対応して設けた食餌用止り木とを組み合わせ、止り木に加わる付加荷重に応じて止り木と餌箱との相対距離を変動可能なように支持した給餌装置であって、前記餌箱は給餌口を下向きに開口させ、また前記止り木の上方に支持したことを特徴とする給餌装置。
【請求項２】
止り木の長手方向両側に、該止り木に掴まった状態で羽ばたきすることの障害になる羽ばたき障害物を設けた請求項１に記載の給餌装置。
【請求項３】
止り木と餌箱との相対距離を変動可能なようにするとき、該止り木に鳥が掴まることの障害となる止り障害物を設けた請求項１又は２に記載の給餌装置。
【請求項４】
鳥用の餌を収容する餌箱と、該餌箱に対応して設けた食餌用止り木とを組み合わせ、止り木に加わる付加荷重に応じて止り木と餌箱との相対距離を変動可能なように支持した給餌装置であって、前記餌箱の給餌口に開閉可能なシャッターを設けるとともに、この相対距離を変動に応じて前記シャッターを開閉させるようにしたことを特徴とする給餌装置。
【発明の詳細な説明】
【技術分野】
【０００１】
本発明は、野鳥の種の違いによる体重差を利用し、特定種だけが食餌できるようにした給餌装置に関する。
【背景技術】
【０００２】
季節毎にたくさんの花が咲き誇る庭造りは楽しいもので、最近ではガーデニングと呼ばれベランダや小さなスペースにも種々の工夫がされ非常に盛んである。このような花園にかわいい小鳥（野鳥）の来訪者があればガーデニングの喜びが更に倍増される。そのためには給餌台を設置するのが有効である。
【０００３】
庭等に設置される野鳥用餌台の多くは、底の浅い皿状の台の上に餌を置いただけの簡単なものであり、少し凝ったものでも餌の補給インターバルを永くする工夫や、それに屋根を付けた程度である。このような餌台には様々な種類の野鳥が食餌にやってくる。その野鳥の愛くるしい食餌姿を観ていると大きな喜びと満足感を得ることができる。しかし餌台の設置後しばらくは多くの種類の野鳥が入れ替わり立ち代り来訪し和やかに食餌をするが、野生動物にとって「食べ物の確保」は最も重要な活動である。そのために野生動物は餌を独占する本能的な習性がある。特に大きな強い野鳥は餌場付近に常時滞在して近づいてくる他の野鳥を攻撃し追い払い独占する。すなわち餌を皿に置いたような餌場はしばらくするとヒヨドリのような大型野鳥の専用餌場になってしまう。例えばメジロ、シジュウカラ、ウグイスのような小型種は餌場に近寄ることも困難で十分な食餌ができないという事態が生じる。これに対して従来はほとんど有効な提案がされていないのが現実である。庭に呼び込む野鳥として好まれる種類は小型のものが多く、そのため野鳥の体重差を利用した給餌装置が考案されている。その一例として下記の給餌装置（バードテーブル）が非特許文献１に記載されている。
【非特許文献１】柚木修・柚木陽子著  「野鳥を呼ぶ庭づくり」（３１項）千早書房  ２０００年
【０００４】
その給餌装置とは次のようなものである（図８参照）。止り木４１と重錘４２とを連桿で連結し連桿を支点４３で支え止り木に掴まった野鳥の体重差に応じて止り木４１の位置を上下に変化させ容器４０から止り木４１を離反させて大きな体重の野鳥は容器４０から離れ食餌を不能にする天秤方式のものである。すなわち、一般的な野鳥等が好む餌（固体状の物、ジュースや砂糖水の液体状の物でもよい）が入った容器４０の近傍に止り木４１を上下に回動自在に設け、その回動支点４１の反対側に錘４２を取り付けた構成で、止り木４１に体重の軽い野鳥（メジロ、シジュウカラ、ウグイス等約１０グラム）が掴まった場合は、野鳥の体重は４２によりバランスが保たれ、容器４０内の餌を食べるのに適した高さに止り木４１が保持される。止り木４１に体重の重い野鳥（スズメ約３０グラム、ヒヨドリ約７０グラム）が掴まった場合は、止り木４１が下に回動して容器４０内の餌を食べられなくなる天秤機構を応用したものである。
【発明の開示】
【発明が解決しようとする課題】
【０００５】
上記給餌装置を実際に設置してみたところ、しばらくの期間は天秤機構が有効に作用し小型野鳥専用になるが、大型の野鳥は食餌動作の失敗を学習し改善対策を実行することが判明した。すなわち、確かにヒヨドリ等の体重の重い野鳥は止り木４１に止って容器４０内の餌を食べることはできないが、容器４０の外縁部に掴まって容器４０内の餌を食べる改善対策を実行するのである。また中には容器４０の外周縁に止って中の餌を食べ無いで、羽ばたきしながら止り木４１に掴まれば、羽ばたきによって生じる揚力で止り木４１にかかる荷重が減少し、止り木４１が餌を食べるのに適度な高さを保持する改善対策を実行する野鳥も存在する。また別の野鳥は、止り木４１に掴まったまま最下位まで回動し容器４０内の餌を食べるのは困難な場合でも、止り木４１の位置から飛翔して一時的にホバリングした状態で容器４０内の餌を食べる改善対策を実行する野鳥も存在する。このように、体重の重い野鳥でも難なく容器内の餌を食べる方法を学習することができるので、従来の給餌装置は短期的な臨時の対策としては有効であるが、長期的な常設設置には有効な対策になっていない。
【０００６】
このような天秤方式の給餌装置を設置すると大型の野鳥が他の野鳥を寄せ付けず装置を独占し滞在する。大型の野鳥は排泄糞も大量であるため給餌装置の付近の樹木は糞の堆積による糞害により葉は白色化し炭酸同化作用が行えず最終的には枯れてしまう。そのために給餌装置に餌を補給しないで「庭の添景物」とするか、撤去するかの選択をしなければならない。何れにしても「野鳥を呼び込む庭造り」の目的は断念せざるをえない。
【０００７】
そこで、来訪が好ましい小型の鳥だけが確実に食餌することが可能な給餌装置を提供し「野鳥が遊ぶ庭造り」を可能にすることが本発明の課題である。
【課題を解決するための手段】
【０００８】
第一の発明にかかる給餌装置は、鳥用の餌を収容する餌箱と、該餌箱に対応して設けた食餌用止り木とバランスウエイトを組み合わせた天秤方式の給餌装置であって、前記餌箱は給餌口が下向きに開口するように支持し、また前記止り木は前記給餌口の下方にあって、当該止り木に加わる荷重に応じて上下位置が変動するように支持したことを特徴としている。
【０００９】
餌箱の給餌口が下向きに開口しているので、野鳥は餌箱の一部に掴まった状態で餌箱内の餌を食べることは困難である。止り木に鳥が掴まると、その体重に応じて止り木の上下位置が変動する。目当てとしない体重の重いが止り木に掴まった場合に、止り木が下方に下降するようにバランスウエイト設定しておくことにより、目当ての鳥だけが止り木に止って餌を食べられるようになる。
【００１０】
上記第一の発明において、止り木の長手方向両側に、該止り木に掴まった状態で羽ばたきすることが不可能になる障害物を設ければ、羽ばたきを追加することにより止り木の下降を防止し高さを保持しながら容器内の餌を食べることを防止できる。
【００１１】
さらに、上記第一の発明において、止り木が上下移動範囲の下端に位置するとき、該止り木に鳥が止まることの障害になる止り障害物を設ければ、低い位置にある止り木から飛翔して一時的にホバリングした状態で容器内の餌を食べることを防止できる。
【００１２】
また、第二の発明にかかる給餌装置は、鳥用の餌を収容する餌箱と、該餌箱に対応して設けた食餌用止り木とを組み合わせた給餌装置であって、前記餌箱の給餌口に開閉可能なシャッターを設けるとともに、前記止り木はそれに加わる荷重に応じて上下位置が変動するように支持し、この止り木の上下位置に応じて前記シャッターを開閉させるようにしたことを特徴としている。
【００１３】
目当ての体重の軽い鳥が止り木に止った場合にはシャッターが開き、それよりも体重の重い鳥が止り木に止った場合にはシャッターが閉じるように設定しておくことにより、目当ての鳥だけが容器内の餌を食べられるようになる。
【発明の効果】
【００１４】
本発明の給餌装置は、鳥の種の違いによる体重差に応じて止り木の上下位置を変動させて、特定の体重をした種だけしか餌箱の餌を食べられないように、餌箱と止り木との位置関係を変更するか、或いは餌箱の給餌口に設けたシャッターを開閉させるので、確実に目当ての鳥だけが食餌をできる。
【発明を実施するための最良の形態】
【００１５】
メジロ等の小型の野鳥だけが食餌できる給餌装置を比較的簡単な構成で実現する。
【実施例１】
【００１６】
図１乃至図４は本発明による給餌装置の第１実施例を表している。この給餌装置１は、台座２から上方に支柱３を突設し、その支柱３の上端に屋根４を前方に張り出すように設け、その屋根４の下方に餌箱５を設けている。餌箱５はタライ状の容器であり、給餌口５ａである開口部が若干前上がりで下側を向くように伏せた状態で、支柱３に着脱可能に取り付けられている。
【００１７】
餌箱５の下方には、食餌用止り木６が設けられている。この止り木６は、支柱３に上支持軸７により回動自在に支持された上リンク８の前端部に固着されている。上リンク８の後端部には連結ロッド９の上端部が連結され、さらに該連結ロッド９の下端部が支柱３に下支持軸１０により回動自在に支持された下リンク１１の後端部に連結されている。
【００１８】
連結ロッド９には錘１２が取り付けられており、この錘１２の作用により、常態では連結ロッド９の下端が台座２の上面に当たる最上位置に止り木６が保持されるようになっている。最上位置にある止り木６にメジロ等の小型の鳥が止った状態で、その鳥の頭部がちょうど餌箱５の内側に入るようになる。止り木６への付加荷重がメジロ１羽の体重分（約１０グラム）程度までは最上位置に保たれ、付加荷重がメジロ２羽の体重分（約２０グラム）なると止り木６が下動するようにバランスウエイトが設定されている。なお、上リンク８の後部、連結ロッド９及び下リンク１１の重量がバランスウエイトとして作用している。
【００１９】
止り木６の長手方向両端部には、羽ばたき障害物１３，１３が取り付けられている。この羽ばたき障害物１３，１３が障害となり、鳥が止り木６に止った状態で羽ばたきできないようになっている。また、止り木６の上下移動範囲の後方には、止り障害物１４が設けられている。この止り障害物１４は、下端側ほど前方に位置するよう斜めに設けられており、止り木６が上下移動範囲の上部に位置するときには鳥が当該止り木に掴まることができるが、下端近辺に位置するときには鳥が当該止り木に掴まることの障害になるようになっている。止り障害物１４は、下端側ほど前方に位置するよう斜めに設けられているのは、止り障害物１４に鳥が掴まれないように作用している。
【００２０】
このように構成された給餌装置１は、台座２が地面に接するよう庭やベランダに設置される。餌箱５に容れる餌としては、穀物の粉と砂糖に加熱溶融した牛脂を練り合わせた練り餌を使用する。この練り餌は、常温では牛脂が固化しているので給餌口５ａを下にしても垂れ落ちない。餌箱５は支柱３に着脱可能であるので、餌の補給や餌箱５の清掃が容易である。
【００２１】
メジロ等の小型の鳥（約１０グラム）Ｂ１が止り木６に止った場合は、図３に示すように、上支持軸７を支点とする左回りのモーメントＭ１の方が右回りのモーメントＭ２よりも大きく、止り木６は最上位置のまま保たれる。このため、止り木６に止ったまま餌箱５の餌を食べることができる。
【００２２】
ヒヨドリ（約７０グラム）、スズメ（約３０グラム）のように比較的大きい鳥Ｂ２が止り木６に止ると、図４に示すように、左回りのモーメントＭ１よりも右回りのモーメントＭ２が大きくなり、止り木６は下動する。このため、止り木６に止ったまま餌箱５の餌を食べることが困難になる。また、止り木６が上下移動範囲の下端近くまでくると、該止り木６と止り障害物１４との距離が接近するので、鳥は止り木６に掴まっていられなくなる。このため、最下位の止り木６に止った状態から飛び上がって餌箱５の餌を食べることもできない。さらに、羽ばたき障害物１３，１３のために止り木６に止って羽ばたきできないので、止り木６が下方に回動しようとするのを羽ばたいて揚力を追加し下降を阻止することもできない。
【実施例２】
【００２３】
次に、図５乃至図７は本発明による給餌装置の第２実施例を表している。この給餌装置２１は、上下方向の支柱２２の上部前側に形成された台２３の上に水飲み器２４が載置されている。この水飲み器２４は、前面下部に受け口状の水飲み口２４ａが前方に突出して設けられ、飲んだ分だけ内部に貯留されている水が水飲み口２４ａに供給される公知の形態のものである。水飲み器２４には、野鳥が好むジュースや砂糖水の液状の餌、雑穀などの粒状の餌等を容れてあり餌箱の一種とみなすことができる。
【００２４】
水飲み器２４に付設されたシャッター２５は、水飲み口２４ａの上下及び左右を囲み前面部２５ａが開口した形状をしている。シャッター２５は、上支持軸２６により支柱２２に回動自在に支持された上リンク２７の前端部に取り付けられ、上支持軸２６回りに上下動するようになっている。このシャッター２５の上下動は、後述する止り木２８の上下動に連動する。
【００２５】
水飲み器２４の前方には、水飲み用（食餌用）止り木２８が設けられている。この止り木２８は、下支持軸２９により支柱２２に回動自在に支持された下リンク３０の前端部に固着されている。そして、この下リンク３０と前記上リンク２７とが連結ロッド３１で連結されている。また、下リンク３０の後端部には錘３２が取り付けられている。錘３２は止り木２８に掴まる鳥により付加される加重をバランス調整している。
【００２６】
常態では、図６に示すように、錘３２の作用で止り木２８が最上位置に保持される。このとき、シャッター２５の開口部２５ａの中心位置が、水飲み器２４の水飲み口２４ａよりも少く高くなっている。止り木２８が最上位置にある状態では、メジロ（約１０グラム）等の小型の鳥Ｂ１が止り木２８に止って水飲み器２４の餌を食餌することができる。
【００２７】
止り木２８にヒヨドリ（約７０グラム）のような大きな鳥Ｂ２が止ると、図７に示すように、左回りのモーメントＭ１よりも右回りのモーメントＭ２が大きくなり、止り木２８が下動する。それに連動してシャッター２５も下動し、該シャッターの上部板２５ｂが水飲み器２４の水飲み口２４ａを塞ぐ。これにより、水飲み器２４の餌を食餌することができなくなる。なお、上リンク２７と下リンク３０とは平行リンク機構を構成しているため、シャッター２５は一定姿勢のまま上下動する。
【００２８】
この実施例２は、シャッター２５により餌箱である水飲み器２４の水飲み口２４ａを塞いで、強制的に食餌できなくする構成であるので、実施例１のように餌箱を給餌口が下を向くように伏せた状態で設ける必要がなく、液状の餌以外に粒状の穀物類も給餌することができるという利点がある。
【００２９】
また、実施例１及び実施例２では、止り木６，２８を上方へ上げる手段として錘１２，３２が用いられているが、代わりにバネやゴムの弾発力を利用してもよい。止り木６，２８の構成材料は「止り木」との呼称のから木材であるかのようですが、木材に限定されない。その材料は金属でも非金属でもよい。鳥が止るように形成された物の一般的な呼称として「止り木」を使用した。止り木６，２８の位置を変動させる手段にバランスウエイトを使用した天秤機構を用いているが、重量センサーと電動アクチェータを組み合わせてもよい。止り木６，２８に重量センサーを設け電動アクチェータで餌箱の位置を変動させてもよい。
【産業上の利用可能性】
【００３０】
野鳥用の給餌装置に限らず、複数種の鳥を飼育する大型の鳥カゴや鳥舎内に設置する給餌装置としても適用できる。
【図面の簡単な説明】
【００３１】
【図１】給餌装置の斜視図である。（実施例１）
【図２】給餌装置の正面図である。（実施例１）
【図３】給餌装置の使用時の状態を示す側面図である。（実施例１）
【図４】給餌装置の異なる使用時の状態を示す側面図である。（実施例１）
【図５】給餌装置の正面図である。（実施例２）
【図６】給餌装置の使用時の状態を示す側面図である。（実施例２）
【図７】給餌装置の異なる使用時の状態を示す側面図である。（実施例２）
【図８】従来の給餌装置の斜視図である。
【符号の説明】
【００３２】
１，２１    給餌装置
２    台座
３，２２    支柱
４    屋根
５    餌箱
５ａ  給餌口
６，２８  止り木
１２，３２  錘
１３  羽ばたき障害物
１４  止り障害物
２４  水飲み器
２５  シャッター
【図１】
2005040082.tif 000003
【図２】
2005040082.tif 000004
【図３】
2005040082.tif 000005
【図４】
2005040082.tif 000006
【図５】
2005040082.tif 000007
【図６】
2005040082.tif 000008
【図７】
2005040082.tif 000009
【図８】
2005040082.tif 000010